【手続補正書】
【提出日】平成25年11月27日(2013.11.27)
【手続補正１】
【補正対象書類名】特許請求の範囲
【補正対象項目名】全文
【補正方法】変更
【補正の内容】
【特許請求の範囲】
【請求項１】
Ｎ段（Ｎは６以上の整数）に従属接続された単位レジスタ回路を含み、第ｋ段（ｋは１≦ｋ≦Ｎなる整数）の出力パルスＧ（ｋ）を順方向及び逆方向のいずれかのシフト順序で出力するシフトレジスタ部と、
Ｍ相（Ｍは３以上の整数）のクロックパルスを、前記シフトレジスタ部の順シフト動作時には前記順方向で順番に、一方、逆シフト動作時には前記逆方向で順番に、それぞれ前記シフトレジスタ部の各段に供給するクロック信号生成部と、
前記順シフトの開始時及び前記逆シフトの垂直帰線期間に順方向トリガ信号を生成し、前記逆シフトの開始時及び前記順シフトの垂直帰線期間に逆方向トリガ信号を生成するトリガ信号生成部と、
を有し、
第ｋ段の前記単位レジスタ回路は、順方向セット端子及び逆方向セット端子と、順方向リセット端子及び逆方向リセット端子と、前記セット端子のいずれかにセット信号を入力されると基準点の電位を第１電位に設定するセット回路と、前記リセット端子のいずれかにリセット信号を入力されると前記基準点の電位を第２電位に設定するリセット回路と、
前記基準点が前記第１電位である状態では、入力される前記クロックパルスに同期して前記出力パルスＧ（ｋ）を出力する出力回路と、を備え、
αｆ，αｂ，βｆ及びβｂをαｆ＜βｂ＜Ｍかつαｂ＜βｆ＜Ｍなる自然数として、
第ｋ段の前記セット回路は、前記順方向セット端子に出力パルスＧ（ｋ−αｆ）（但しｋ＞αｆ）又は前記順方向トリガ信号（但しｋ≦αｆ）を、一方、前記逆方向セット端子に出力パルスＧ（ｋ＋αｂ）（但しｋ≦Ｎ−αｂ）又は前記逆方向トリガ信号（但しｋ＞Ｎ−αｂ）を、それぞれ前記セット信号として入力され、
第ｋ段の前記リセット回路は、前記順方向リセット端子に出力パルスＧ（ｋ＋βｆ）（但しｋ≦Ｎ−βｆ）又は前記順方向トリガ信号（但しｋ＞Ｎ−βｆ）を、一方、前記逆方向リセット端子に出力パルスＧ（ｋ−βｂ）（但しｋ＞βｂ）又は前記逆方向トリガ信号（但しｋ≦βｂ）をそれぞれ前記リセット信号として入力されること、
を特徴とする双方向シフトレジスタ。
【請求項２】
請求項１に記載の双方向シフトレジスタにおいて、
前記トリガ信号生成部は、前記順シフト動作時には前記出力パルスＧ（Ｎ）が出力された直後のクロックβｆ相分の期間に前記逆方向トリガ信号を生成し、前記逆シフト動作時には前記出力パルスＧ（１）が出力された直後のクロックβｂ相分の期間に前記順方向トリガ信号を生成すること、
を特徴とする双方向シフトレジスタ。
【請求項３】
請求項１に記載の双方向シフトレジスタにおいて、
前記トリガ信号生成部は、前記順シフト動作時には前記出力パルスＧ（Ｎ）が出力される直前のクロックαｆ相分の期間に前記逆方向トリガ信号を生成し、前記逆シフト動作時には前記出力パルスＧ（１）が出力される直前のクロックαｂ相分の期間に前記順方向トリガ信号を生成すること、
を特徴とする双方向シフトレジスタ。
【請求項４】
請求項１に記載の双方向シフトレジスタにおいて、
前記順方向トリガ信号の電位及び前記逆方向トリガ信号の電位は、前記クロックパルスの電位よりも高いこと、
を特徴とする双方向シフトレジスタ。
【請求項５】
請求項１に記載の双方向シフトレジスタにおいて、
第ｋ段の前記セット回路は、前記順方向セット端子に前記セット信号を入力されるとオンして前記基準点の電位を前記第１電位に設定する第１の順方向スイッチと、前記逆方向セット端子に前記セット信号を入力されるとオンして前記基準点の電位を前記第１電位に設定する第１の逆方向スイッチと、を含み、
第ｋ段の前記リセット回路は、前記順方向リセット端子に前記リセット信号を入力されるとオンして前記基準点の電位を前記第２電位に設定する第２の順方向スイッチと、前記逆方向リセット端子に前記リセット信号を入力されるとオンして前記基準点の電位を前記第２電位に設定する第２の逆方向スイッチと、を含むこと、
を特徴とする双方向シフトレジスタ。
【請求項６】
請求項５に記載の双方向シフトレジスタにおいて、
第１段乃至第αｆ段の前記セット回路に含まれる前記第１の順方向スイッチは、前記順方向セット端子にゲート端子を接続されたダブルゲート構造のトランジスタであり、
第１段乃至第βｂ段の前記リセット回路に含まれる前記第２の逆方向スイッチは、前記逆方向リセット端子にゲート端子を接続されたダブルゲート構造のトランジスタであり、
第（Ｎ−αｂ＋１）段乃至第Ｎ段の前記セット回路に含まれる前記第１の逆方向スイッチは、前記逆方向セット端子にゲート端子を接続されたダブルゲート構造のトランジスタであり、
第（Ｎ−βｆ＋１）乃至第Ｎ段の前記リセット回路に含まれる前記第２の順方向スイッチは、前記順方向リセット端子にゲート端子を接続されたダブルゲート構造のトランジスタであること、
を特徴とする双方向シフトレジスタ。
【請求項７】
請求項５に記載の双方向シフトレジスタにおいて、
前記トリガ信号生成部は、さらに、前記順シフトの開始時及び前記逆シフト動作時の所定タイミングで順方向補助トリガ信号を生成し、前記逆シフトの開始時及び前記順シフト動作時の所定タイミングで逆方向補助トリガ信号を生成し、
第１段乃至第αｆ段の前記セット回路に含まれる前記第１の順方向スイッチは、前記順方向セット端子にゲート端子及びドレイン端子を接続された第１の順方向セットトランジスタと、前記順方向補助トリガ信号がゲート端子に入力され前記第１の順方向セットトランジスタのソース端子にドレイン端子を接続され前記基準点にソース端子を接続された第２の順方向セットトランジスタと、を備え、
第１段乃至第βｂ段の前記リセット回路に含まれる前記第２の逆方向スイッチは、前記逆方向補助トリガ信号がゲート端子に入力され前記基準点にドレイン端子を接続された第１の逆方向リセットトランジスタと、前記逆方向リセット端子にゲート端子を接続され前記第１の逆方向リセットトランジスタのソース端子にドレイン端子を接続され前記第２電位の電源にソース端子を接続された第２の逆方向リセットトランジスタと、を備え、
第（Ｎ−αｂ＋１）段乃至第Ｎ段の前記セット回路に含まれる前記第１の逆方向スイッチは、前記逆方向セット端子にゲート端子及びドレイン端子を接続された第１の逆方向セットトランジスタと、前記逆方向補助トリガ信号がゲート端子に入力され前記第１の逆方向セットトランジスタのソース端子にドレイン端子を接続され前記基準点にソース端子を接続された第２の逆方向セットトランジスタと、を備え、
第（Ｎ−βｆ＋１）乃至第Ｎ段の前記リセット回路に含まれる前記第２の順方向スイッチは、前記順方向補助トリガ信号がゲート端子に入力され前記基準点にドレイン端子を接続された第１の順方向リセットトランジスタと、前記順方向リセット端子にゲート端子を接続され前記第１の順方向リセットトランジスタのソース端子にドレイン端子を接続され前記第２電位の電源にソース端子を接続された第２の順方向リセットトランジスタと、を備えること、
を特徴とする双方向シフトレジスタ。
【請求項８】
請求項７に記載の双方向シフトレジスタにおいて、
第１段乃至第αｆ段の前記セット回路に含まれる前記第１の順方向スイッチは、前記第１の順方向セットトランジスタのソース端子と前記第２の順方向セットトランジスタのドレイン端子とが接続されるノードの電位を他段の出力パルスに応じて前記第２電位に設定するスイッチ、をさらに備え、
第１段乃至第βｂ段の前記リセット回路に含まれる前記第２の逆方向スイッチは、前記第１の逆方向リセットトランジスタのソース端子と前記第２の逆方向リセットトランジスタのドレイン端子とが接続されるノードの電位を他段の出力パルスに応じて前記第２電位に設定するスイッチ、をさらに備え、
第（Ｎ−αｂ＋１）段乃至第Ｎ段の前記セット回路に含まれる前記第１の逆方向スイッチは、前記第１の逆方向セットトランジスタのソース端子と前記第２の逆方向セットトランジスタのドレイン端子とが接続されるノードの電位を他段の出力パルスに応じて前記第２電位に設定するスイッチ、をさらに備え、
第（Ｎ−βｆ＋１）乃至第Ｎ段の前記リセット回路に含まれる前記第２の順方向スイッチは、前記第１の順方向リセットトランジスタのソース端子と前記第２の順方向リセットトランジスタのドレイン端子とが接続されるノードの電位を他段の出力パルスに応じて前記第２電位に設定するスイッチ、をさらに備えること、
を特徴とする双方向シフトレジスタ。
【請求項９】
複数の走査線に対応してマトリクス状に配置された複数の画素回路と、
前記走査線ごとに設けられ、前記画素回路への映像データの書き込みを制御するゲート信号を供給する複数のゲート信号線と、
請求項１から請求項８のいずれか１つに記載の双方向シフトレジスタを用い、前記複数のゲート信号線それぞれへの前記ゲート信号を、前記シフトレジスタ部の複数段のうち当該ゲート信号線に対応付けられた段から出力される前記出力パルスに基づいて生成するゲート信号線駆動回路と、
を有することを特徴とする画像表示装置。
【請求項１０】
ゲート信号線駆動回路と、
前記ゲート信号線駆動回路に設けられた、６段以上の複数段に縦列接続された単位レジスタ回路を含み、出力パルスを順方向及び逆方向のいずれかのシフト順序で出力する双方向シフトレジスタと、
４相のクロックパルスを、順シフト動作時には前記順方向で順番に、逆シフト動作時には前記逆方向で順番に、前記双方向シフトレジスタに供給するクロック信号生成部と、
前記順シフト動作の開始時に順方向トリガ信号を生成し、前記逆シフト動作の開始時に逆方向トリガ信号を生成するトリガ信号生成部とを有し、
前記単位レジスタ回路の列は、
順シフト動作時に先頭となる２段の先頭ダミー単位レジスタ回路と、
逆シフト動作時に先頭となる２段の後尾ダミー単位レジスタ回路と、
前記先頭ダミー単位レジスタ回路と前記後尾ダミー単位レジスタ回路との間に形成された主単位レジスタ回路とを有し、
前記単位レジスタ回路は、
順方向セット端子及び逆方向セット端子とを備え、前記順方向セット端子及び逆方向セット端子のいずれかにセット信号が入力すると基準点の電位をハイレベルに設定するセット回路と、
順方向リセット端子及び逆方向リセット端子とを備え、前記順方向リセット端子及び逆方向リセット端子のいずれかにリセット信号が入力すると前記基準点の電位をロウレベルに設定するリセット回路と、
前記基準点が前記ハイレベルである状態では、入力される前記クロックパルスに同期して前記出力パルスを出力する出力回路とを備え、
順シフト動作時に
前記先頭ダミー単位レジスタ回路のセット回路に、
前記順方向セット端子に前記順方向トリガ信号が前記セット信号として入力され、
逆シフト動作時に、
前記後尾ダミー単位レジスタ回路のセット回路に、
前記逆方向セット端子に前記逆方向トリガ信号が前記セット信号として入力されることを特徴とする画像表示装置。
【請求項１１】
請求項１０に記載の画像表示装置において、
順シフト動作時に
前記後尾ダミー単位レジスタ回路の前記リセット回路に、
前記順方向リセット端子に前記順方向トリガ信号が、
前記リセット信号として入力され
逆シフト動作時に、
前記先頭ダミー単位レジスタ回路の前記リセット回路に、
前記逆方向リセット端子に前記逆方向トリガ信号が
前記リセット信号として入力されることを特徴とする画像表示装置。
【請求項１２】
請求項１０に記載の画像表示装置において、
前記主単位レジスタ回路は自段の１つ前の段の前記出力パルスを受けて前記基準点をセット状態とし、自段の２つ後の段の前記出力パルスを受けて前記基準点をリセット状態とし、
順シフト動作時に
先頭の前記主単位レジスタ回路の前記セット回路の前記順方向セット端子には、前記先頭ダミー単位レジスタ回路の出力パルスが、前記セット信号として入力され、
末尾の前記主単位レジスタ回路の前記リセット回路の前記順方向リセット端子には、前記後尾ダミー単位レジスタ回路の出力パルスが、前記リセット信号として入力されることを特徴とする画像表示装置。
【請求項１３】
請求項１０に記載の画像表示装置において、
前記順方向トリガ信号の電位及び前記逆方向トリガ信号の電位は、前記クロックパルスの電位よりも高いことを特徴とする画像表示装置。
【請求項１４】
請求項１０に記載の画像表示装置において、
前記セット回路は、前記順方向セット端子に前記セット信号を入力されるとオンして前記基準点の電位を前記ハイレベルに設定する第１の順方向スイッチと、前記逆方向セット端子に前記セット信号を入力されるとオンして前記基準点の電位を前記ハイレベルに設定する第１の逆方向スイッチと、を含み、
前記リセット回路は、前記順方向リセット端子に前記リセット信号を入力されるとオンして前記基準点の電位を前記ロウレベルに設定する第２の順方向スイッチと、前記逆方向リセット端子に前記リセット信号を入力されるとオンして前記基準点の電位を前記ロウレベルに設定する第２の逆方向スイッチとを含むことを特徴とする画像表示装置。
【請求項１５】
請求項１４に記載の画像表示装置において、
前記先頭ダミー単位レジスタ回路の前記セット回路に含まれる前記第１の順方向スイッチは、前記順方向セット端子にゲート端子を接続されたダブルゲート構造のトランジスタであり、
前記先頭ダミー単位レジスタ回路の前記リセット回路に含まれる前記第２の逆方向スイッチは、前記逆方向リセット端子にゲート端子を接続されたダブルゲート構造のトランジスタであり、
前記後尾ダミー単位レジスタ回路の前記セット回路に含まれる前記第１の逆方向スイッチは、前記逆方向セット端子にゲート端子を接続されたダブルゲート構造のトランジスタであり、
前記後尾ダミー単位レジスタ回路の前記リセット回路に含まれる前記第２の順方向スイッチは、前記順方向リセット端子にゲート端子を接続されたダブルゲート構造のトランジスタであることを特徴とする画像表示装置。